(57)【要約】【課題】  木質繊維の飛散が抑制され、木質繊維もバインダーも植栽層も全てが生分解されるため環境に優しく、しかも、通水性を阻害しないため水溜り等ができず、更に、植栽層による緑化も可能で、その上、該緑化を手間をかけずに行える等、極めて実用性に秀れた画期的な舗装層を提供することである。【解決手段】  木質繊維を生分解性のバインダーで固めて構成された木質繊維層１の上面に、該木質繊維層１に根張する植物で形成される植栽層２が設けられて成るものである。【選択図】      図３
2006257777.tif 000002
【特許請求の範囲】
【請求項１】
木質繊維を生分解性のバインダーで固めて構成された木質繊維層の上面に、該木質繊維層に根張する植物で形成される植栽層が設けられて成ることを特徴とする舗装層。
【請求項２】
請求項１記載の舗装層において、植栽層は、木質繊維層内に混入された種子若しくは苗を育成して成る植物で形成されていることを特徴とする舗装層。
【請求項３】
請求項１記載の舗装層において、植栽層は、木質繊維層の上面に蒔いた種子若しくは苗を育成して成る植物で形成されていることを特徴とする舗装層。
【請求項４】
請求項１記載の舗装層において、植栽層は、育成した植物で形成されていることを特徴とする舗装層。
【請求項５】
請求項１〜４いずれか１項に記載の舗装層において、植栽層は木質繊維層の木質繊維の飛散を防止する飛散防止層であることを特徴とする舗装層。
【請求項６】
請求項１〜５いずれか１項に記載の舗装層において、植栽層を形成する植物として地被植物が採用されていることを特徴とする舗装層。
【請求項７】
請求項１〜６いずれか１項に記載の舗装層において、木質繊維層には、砂若しくは肥料が混入せしめられていることを特徴とする舗装層。
【請求項８】
請求項１〜７いずれか１項に記載の舗装層において、生分解性のバインダーは植物性であることを特徴とする舗装層。
【請求項９】
請求項１〜８いずれか１項に記載の舗装層において、木質繊維として、施工現場で入手した木質系廃材を破砕したものが採用されていることを特徴とする舗装層。
【発明の詳細な説明】
【技術分野】
【０００１】
本発明は、舗装層に関するものである。
【背景技術】
【０００２】
樹木の伐採や剪定等によって発生した木質系廃材を利用する方法として、木質系廃材を破砕して形成した木質繊維（ウッドチップ若しくはウッドファイバー）に、合成樹脂製バインダーやセメント等の硬化剤を混入して固めるなどして、木質系舗装層を形成し、この木質系舗装層で例えば公園や山林の遊歩道等を舗装する方法（以下、従来法という。）が提案されている。
【０００３】
しかしながら、上述の木質系廃材を固める合成樹脂製バインダーや硬化材は、生分解されないため環境に悪影響を及ぼすおそれがあると共に、該木質系舗装層の通水性を悪くする問題点があることも指摘されている。
【０００４】
更に、この木質舗装層は耐候性が悪いため、短期間で該木質舗装層表面の木質繊維が飛散し易くなり、飛散すると表面に凹凸が生じるという問題点もあり、上述の通水性の悪さと相俟って、水溜りができ易く、実用性に乏しいものであった。
【発明の開示】
【発明が解決しようとする課題】
【０００５】
本発明は、上述の問題点を解決したもので、木質繊維層の上面に該木質繊維層に根張した植物で形成された植栽層を設けることで、この植栽層により木質繊維の飛散が抑制され、木質繊維もバインダーも植栽層も全てが生分解されるため環境に優しく、しかも、通水性を阻害しないため水溜り等ができず、更に、植栽層による緑化も可能で、その上、該緑化を手間をかけずに行える等、極めて実用性に秀れた画期的な舗装層を提供するものである。
【課題を解決するための手段】
【０００６】
添付図面を参照して本発明の要旨を説明する。
【０００７】
木質繊維を生分解性のバインダーで固めて構成された木質繊維層１の上面に、該木質繊維層１に根張する植物で形成される植栽層２が設けられて成ることを特徴とする舗装層に係るものである。
【０００８】
また、請求項１記載の舗装層において、植栽層２は、木質繊維層１内に混入された種子若しくは苗を育成して成る植物で形成されていることを特徴とする舗装層に係るものである。
【０００９】
また、請求項１記載の舗装層において、植栽層２は、木質繊維層１の上面に蒔いた種子若しくは苗を育成して成る植物で形成されていることを特徴とする舗装層に係るものである。
【００１０】
また、請求項１記載の舗装層において、植栽層２は、育成した植物で形成されていることを特徴とする舗装層に係るものである。
【００１１】
また、請求項１〜４いずれか１項に記載の舗装層において、植栽層２は木質繊維層１の木質繊維の飛散を防止する飛散防止層であることを特徴とする舗装層に係るものである。
【００１２】
また、請求項１〜５いずれか１項に記載の舗装層において、植栽層２を形成する植物として地被植物が採用されていることを特徴とする舗装層に係るものである。
【００１３】
また、請求項１〜６いずれか１項に記載の舗装層において、木質繊維層１には、砂若しくは肥料が混入せしめられていることを特徴とする舗装層に係るものである。
【００１４】
また、請求項１〜７いずれか１項に記載の舗装層において、生分解性のバインダーは植物性であることを特徴とする舗装層に係るものである。
【００１５】
また、請求項１〜８いずれか１項に記載の舗装層において、木質繊維として、施工現場で入手した木質系廃材を破砕したものが採用されていることを特徴とする舗装層に係るものである。
【発明の効果】
【００１６】
本発明は、上述のように構成したから、植栽層により木質繊維の飛散が抑制され、木質繊維もバインダーも植栽層も全てが生分解されるため環境に優しく、しかも、通水性を阻害しないため水溜り等ができず、更に、植栽層による緑化も可能で、その上、該緑化を手間をかけずに行える等、極めて実用性に秀れた画期的な舗装層となる。
【発明を実施するための最良の形態】
【００１７】
好適と考える本発明の実施形態を、図面に基づいて本発明の作用を示して簡単に説明する。
【００１８】
木質繊維層１は、植栽層２により覆われるため、直接踏まれたりせず保護され、更に、植栽層２を形成する植物が根張することで該木質繊維層１を構成する木質繊維同士が強固に保持され、よって、木質繊維の飛散が防止される。
【００１９】
しかも、木質繊維層１及び植栽層２には合成樹脂等が含まれておらず全て生分解するため環境に優しく、更に、合成樹脂性バインダーを使用していないため木質繊維層１の通水性が阻害されず、水溜りができにくい。
【００２０】
更に、植栽層２により、木質繊維層１の上面が植物で覆われることで、非常に美しい外観に仕上げることが可能となり、目に優しく、また、歩行者の腰や膝への負担を軽減でき、その上、日照による路面の急激な温度上昇を抑制できるため、環境だけでなく人にも優しいものとなる。
【００２１】
また、植栽層２を形成する植物は、木質繊維層１に根張することから、バインダーの養分と木質繊維により保水される水分とで散水等のメンテナンスを殆ど必要とすることなく良好に発育し、よって、植栽層２の形成が極めて容易となり且つ緑化も簡易に行うことができることになる。
【実施例】
【００２２】
本発明の具体的な実施例について図面に基づいて説明する。
【００２３】
本実施例は、木質繊維を生分解性のバインダーで固めて構成された木質繊維層１の上面に、該木質繊維層１に根張する植物で形成される植栽層２が設けられて成るものである。
【００２４】
木質繊維は、施工現場等で発生した木質系廃材を破砕機により破砕した小片状の木質繊維（ウッドチップ）や繊維状の木質繊維（ウッドファイバー）を使用する。
【００２５】
生分解性のバインダーとしては、植物性のバインダー、具体的には（植物の養分が含まれる）植物系増粘剤を使用する。
【００２６】
植栽層２を形成する植物としては、安価で背が高く成り過ぎず且つ踏まれても千切れにくい地被植物を採用する。具体的には、芝やシロツメクサ（クローバー）等の緑化に寄与する植物を採用すると良い。
【００２７】
以下、本実施例の形成方法について詳述する。尚、図１に本実施例の形成方法のフローチャートを示す。
【００２８】
木質系廃材を破砕機により破砕して小片状の木質繊維や繊維状の木質繊維とする。本実施例においては、舗装層を形成する施工現場で発生した木質系廃材（杭として使える幹のような部分以外の不要部分、例えば根や細かい枝など）をそのまま破砕して使用している。
【００２９】
また、施工現場（現地）の木質系廃材を利用することで、焼却処理や処分場での処理を行う必要なく簡単に現場で発生した木質系廃材を処分できるのに加え、木質繊維層１の構成材の出所が明確となりそれだけ商品に付加価値を付けることも可能となる。
【００３０】
続いて、木質繊維に植物系増粘剤を混合する。また、水（若しくは温水）も混合する。また、この際、水酸化カルシウム（Ｃａ(ＯＨ)２）を添加すると該木質繊維の固化速度を速めることができる。尚、この混合工程は施工現場でも簡単に行うことができる。
【００３１】
また、本実施例においては、木質繊維層１の密度を上げて強度を向上させるため、砂（細砂等）を混入している。更に、植栽層２を形成する植物に適宜養分を与えるため肥料を混入している。
【００３２】
続いて、前記混合物を、地面（路盤）に設けた舗装用掘削部に敷均し転圧して、所定時間放置して固化させ、木質繊維層１を形成する（固化時間は、通常４〜５日、水酸化カルシウムを添加した場合は１日程度である。）。尚、本実施例においては、木質繊維層１の厚さを約５ｃｍとしている。
【００３３】
続いて、木質繊維層１の上面（表層）に、予め他所で育成しておいた芝を敷設する（所謂芝張工）。
【００３４】
尚、本実施例においては、木質繊維層１の上面に、予め他所で育成しておいた芝を敷設（植栽）して植栽層２を形成しているが、例えば、図２に図示したように、植栽層２を、木質繊維層１内に混入された芝種子若しくは芝苗（所謂ほぐし芝）を育成して成る植物（芝）で形成したり、木質繊維層１の上面に蒔いた種子若しくは苗を育成して成る植物で形成するなど、他の手段を用いて植栽層２を形成しても良い。この場合、上記芝張工を省くことができ、一層簡単に植栽層２を形成できることになる。
【００３５】
また、上述のように、種子若しくは苗を育成して植栽層２を形成する場合、木質繊維層１を形成する際に砂及び肥料を混入せしめておくと種子若しくは苗の育成速度を早めることができる。
【００３６】
このような工程によって形成された舗装層は下記のような特徴を有することになる。
【００３７】
（１）  従来法で形成された舗装層と異なり、木質繊維を固めるバインダーとして生分解性のものを使用しているため、木質繊維もバインダーも生分解されて土に戻り、環境に優しいことになる。
【００３８】
（２）  植物性バインダーとして使用される植物系増粘剤は従来使用されていた合成樹脂製バインダーに比して特に弾力性に秀れており、更に植物で形成される植栽層２の存在により、一層クッション性に秀れて足腰への負担が少なくなり、歩経路（場）等に適することになる。
【００３９】
（３）  木質繊維は元々は廃棄処分されるものであるため、原料コストが極めて安価であり、極めて低コストで舗装層を形成することができる。
【００４０】
（４）  合成樹脂製バインダーではなく植物性バインダーを採用することで木質繊維層１の通水性が阻害されず、水溜り等が発生しない。
【００４１】
（５）  木質繊維層１の上面に植栽層２が設けられているため耐候性に秀れている。
【００４２】
（６）  植栽層２によって木質繊維層１が保護されているため、従来法において問題となっていた、歩行等によって削れた木質繊維の飛散が抑制されることになる。即ち、上記植物系増粘剤のような植物性バインダーを用いる場合、合成樹脂製バインダーに比して接着力が弱いため、侵食され易いという問題があったが、本実施例によれば、植栽層２を構成する植物が木質繊維層１に根張することで該木質繊維層１が雨水や足踏みによって浸食されにくく、木質繊維層１の通水性が阻害されないことと相俟って水溜り等は非常に発生しにくいことになる。
【００４３】
（７）  舗装層の形成作業は、施工現場で簡単に行うことができるため、作業性が容易となる。
【００４４】
（８）  従来不可能であったウッドチップ若しくはウッドファイバー上での緑化が可能となる。これは、植物性バインダーの存在により該植物性バインダーが肥料や適宜な量の水分を保持する役目を果たし、これらを木質繊維層１内に貯留しておくことができるためと考えられる。
【００４５】
（９）  木質繊維層１の保護のため該木質繊維層１の表層を合成樹脂でコーティングすることも考えられるが、通水性の観点及び緑化という観点を考慮した場合、この合成樹脂コーティングより本実施例の植栽層２により木質繊維層１を保護することが望ましい。
【００４６】
また、本実施例は公園や山林の遊歩道，ゴルフ場の舗装路，自転車用道路，学校内の舗装路，運動広場の舗装面などに使用するものである。
【００４７】
尚、本実施例は、路盤に直接施工する場合について説明したが、工場等でパネル型に成形してから現場に搬送・敷設しても良い。
【００４８】
本実施例は上述のように構成したから、木質繊維層１は、植栽層２により覆われるため、直接踏まれたりせず保護され、更に、植栽層２を形成する植物が根張することで該木質繊維層１を構成する木質繊維同士が強固に保持され、よって、木質繊維の飛散が防止される。
【００４９】
しかも、木質繊維層１及び植栽層２には合成樹脂等が含まれておらず全て生分解するため環境に優しく、更に、合成樹脂性バインダーを使用していないため木質繊維層１の通水性が阻害されず、水溜りができにくい。
【００５０】
更に、植栽層２により、木質繊維層１の上面が植物で覆われることで、非常に美しい外観に仕上げることが可能となり、目に優しく、また、歩行者の腰や膝への負担を軽減でき、その上、日照による路面の急激な温度上昇を抑制できるため、環境だけでなく人にも優しいものとなる。
【００５１】
また、植栽層２を形成する植物は、木質繊維層１に根張することから、バインダーの養分と木質繊維により保水される水分とで散水等のメンテナンスを殆ど必要とすることなく良好に発育し、よって、植栽層２の形成が極めて容易となり且つ緑化も簡易に行うことができることになる。
【００５２】
更に、従来は不可能であったウッドチップ・ウッドファイバー上での緑化が可能となり、この点からも緑化を簡易に行えることになる。
【００５３】
従って、本実施例は、植栽層により木質繊維層の飛散が抑制され、木質繊維もバインダーも植栽層も全てが生分解されるため環境に優しく、しかも、通水性を阻害しないため水溜り等ができず、更に、植栽層による緑化も可能で、その上、該緑化を手間をかけずに行える等、極めて実用性に秀れた画期的な舗装層となる。
【図面の簡単な説明】
【００５４】
【図１】本実施例の形成方法を説明するフローチャートである。
【図２】別例の形成方法を説明するフローチャートである。
【図３】本実施例の使用状態図である。
【符号の説明】
【００５５】
１  木質繊維層
２  植栽層
【図１】
2006257777.tif 000003
【図２】
2006257777.tif 000004
【図３】
2006257777.tif 000005